(57)【要約】【課題】作業走行時に残稈処理装置用の伝動装置が他物に接触して損傷する不都合の発生を防止する。【解決手段】トウモロコシ収穫機は、走行車体１の前部に位置してトウモロコシの房状体を収穫する収穫装置２と、走行車体１における収穫装置２の後方箇所に位置して収穫装置２による房状体収穫後の残稈を細断する残稈処理装置６と、走行車体１の車体横外側に位置して残稈処理装置６に伝動する伝動装置２３と、伝動装置２３の下端部の下方に位置して伝動装置２３の下端部を保護するガード部材２４とを備えている。【選択図】図１
2017085917.tif 000002
【特許請求の範囲】
【請求項１】
走行車体の前部に位置してトウモロコシの房状体を収穫する収穫装置と、
前記走行車体における前記収穫装置の後方箇所に位置して前記収穫装置による房状体収穫後の残稈を細断する残稈処理装置と、
前記走行車体の車体横外側に位置して前記残稈処理装置に伝動する伝動装置と、
前記伝動装置の下端部の下方に位置して前記伝動装置の下端部を保護するガード部材と、
を備えているトウモロコシ収穫機。
【請求項２】
前記ガード部材は、前記伝動装置の左右両端にわたる左右幅を有している請求項１に記載のトウモロコシ収穫機。
【請求項３】
前記ガード部材の前端側が、前側ほど上方に位置する前上がり形状に形成され、前記ガード部材の後端側が、後側ほど上方に位置する後上がり形状に形成されている請求項１又は２に記載のトウモロコシ収穫機。
【請求項４】
前記ガード部材における前後方向の中央側が、水平の平坦形状に形成されている請求項１〜３のいずれか一つに記載のトウモロコシ収穫機。
【請求項５】
前記ガード部材の前端部は、前側ほど横外端が前記走行車体に近づく前細り形状に形成され、
前記ガード部材の後端部は、後側ほど横外端が前記走行車体に近づく後細り形状に形成されている請求項１〜４のいずれか一つに記載のトウモロコシ収穫機。
【請求項６】
前記残稈処理装置は、残稈を切断する切断部と、前記切断部を上方から覆う残稈処理カバーとを備え、
前記残稈処理カバーは、前記走行車体の左右両端に位置する左右の側壁を備え、
前記ガード部材は、前記ガード部材に隣接する左右一方の前記側壁から車体横外側に延出する状態で左右一方の前記側壁に片持ち支持されている請求項１〜５のいずれか一つに記載のトウモロコシ収穫機。
【請求項７】
前記伝動装置は、前記走行車体に備えた残稈処理用の出力軸から前記残稈処理装置の入力軸にわたる伝動機構と、前記伝動機構を覆う伝動カバーとを備え、
前記伝動カバーの下端面が前記伝動機構の下端に近接する水平に形成され、
前記ガード部材は、前記伝動カバーの下端面に近接している請求項１〜６のいずれか一つに記載のトウモロコシ収穫機。
【請求項８】
前記伝動カバーは、前記伝動機構を車体横外側から覆う外側壁を備え、
前記外側壁の後端部は、後側ほど前記残稈処理装置に近づくように形成されている請求項７に記載のトウモロコシ収穫機。
【請求項９】
前記伝動装置は、前記走行車体に備えた残稈処理用の出力軸から前記残稈処理装置の入力軸にわたる伝動機構と、前記伝動機構を覆う伝動カバーとを備え、
前記伝動カバーは、前記伝動機構を車体横外側から覆う外側壁を備え、
前記外側壁の後端部は、後側ほど前記残稈処理装置に近づくように形成されている請求項１〜６のいずれか一つに記載のトウモロコシ収穫機。
【請求項１０】
前記伝動装置は、前記収穫装置よりも車体横外側に突出している請求項１〜９のいずれか一つに記載のトウモロコシ収穫機。
【請求項１１】
前記収穫装置の作業幅の中心と、前記残稈処理装置の作業幅の中心とが、前記走行車体のトレッドの中心と一致している請求項１〜１０のいずれか一つに記載のトウモロコシ収穫機。
【発明の詳細な説明】
【技術分野】
【０００１】
本発明は、走行車体の前部に位置してトウモロコシの房状体を収穫する収穫装置と、前記走行車体における前記収穫装置の後方箇所に位置して前記収穫装置による房状体収穫後の残稈を細断する残稈処理装置とを備えたトウモロコシ収穫機に関する。
【背景技術】
【０００２】
上記のようなトウモロコシ収穫機においては、車体の左右幅と収穫装置の作業幅と残稈処理装置の作業幅とを略同じ長さに設定して、車体の左右幅の略全域を収穫作業領域として利用することにより、トウモロコシ収穫機による収穫作業を効率良く行えるようにすることが一般的である。そして、このようなトウモロコシ収穫機においては、残稈処理装置として、その左右一端部に備えた入力軸に伝達される動力で左右向きの軸心回りに回転する切断回転体を備えるハンマーナイフ式が採用されている（例えば特許文献１、２参照）。
【先行技術文献】
【特許文献】
【０００３】
【特許文献１】特開２０１４−２０９８８１号公報
【特許文献２】特開２０１４−２３３２２４号公報
【発明の概要】
【発明が解決しようとする課題】
【０００４】
つまり、上記のようなトウモロコシ収穫機においては、残稈処理装置に伝動する伝動装置が走行車体の車体横外側に位置するようになっている。そのため、トウモロコシ収穫機が畦又は畝に沿って走行する作業走行時に、伝動装置の下端部が畦や畝などの他物に接触して損傷する不都合を招く虞がある。
【０００５】
その結果、上記のようなトウモロコシ収穫機においては、作業走行時に残稈処理装置用の伝動装置が他物に接触して損傷する不都合の発生を防止することが望まれている。
【課題を解決するための手段】
【０００６】
上記の課題を解決するための手段として、本発明に係るトウモロコシ収穫機は、
走行車体の前部に位置してトウモロコシの房状体を収穫する収穫装置と、
前記走行車体における前記収穫装置の後方箇所に位置して前記収穫装置による房状体収穫後の残稈を細断する残稈処理装置と、
前記走行車体の車体横外側に位置して前記残稈処理装置に伝動する伝動装置と、
前記伝動装置の下端部の下方に位置して前記伝動装置の下端部を保護するガード部材と、
を備えている。
【０００７】
この手段によると、作業走行時に、伝動装置の下端部が畦や畝などの他物に接近すると、ガード部材が、伝動装置の下端部よりも先に他物に接触して、伝動装置の下端部が他物に接触することを防止する。
その結果、作業走行時に伝動装置が他物に接触して損傷する不都合の発生を防止することができる。
【０００８】
本発明をより好適にするための手段の一つとして、
前記ガード部材は、前記伝動装置の左右両端にわたる左右幅を有している。
【０００９】
この手段によると、伝動装置の下端部を、ガード部材により、伝動装置の下端部よりも下方の畦や畝などの他物に対して覆い隠すことができる。
これにより、作業走行時に、伝動装置の下端部が他物に接触する不都合の発生をより確実に防止することができる。
その結果、作業走行時に伝動装置が他物に接触して損傷する不都合の発生をより確実に防止することができる。
【００１０】
本発明をより好適にするための手段の一つとして、
前記ガード部材の前端側が、前側ほど上方に位置する前上がり形状に形成され、前記ガード部材の後端側が、後側ほど上方に位置する後上がり形状に形成されている。
【００１１】
この手段によると、作業中の前進走行時に、伝動装置の下端部が前方の畦や畝などの他物に接近すると、ガード部材の前端側が、伝動装置の下端部よりも先に前方の他物に接触するとともに、接触した他物をガード部材の下方に案内して、伝動装置の下端部が前方の他物に接触することを防止する。
又、作業中の後進走行時に、伝動装置の下端部が後方の畦や畝などの他物に接近すると、ガード部材の後端側が、伝動装置の下端部よりも先に後方の他物に接触するとともに、接触した他物をガード部材の下方に案内して、伝動装置の下端部が後方の他物に接触することを防止する。
その結果、作業走行時に伝動装置が他物に接触して損傷する不都合の発生をより確実に防止することができる。
【００１２】
本発明をより好適にするための手段の一つとして、
前記ガード部材における前後方向の中央側が、水平の平坦形状に形成されている。
【００１３】
この手段によると、作業走行時に、ガード部材における前後方向の中央側に接触する畦や畝などの他物を、ガード部材によって進行方向の下手側に円滑に案内することができる。
その結果、ガード部材が他物に接触することに起因した走行負荷の上昇を抑制することができる。
【００１４】
本発明をより好適にするための手段の一つとして、
前記ガード部材の前端部は、前側ほど横外端が前記走行車体に近づく前細り形状に形成され、
前記ガード部材の後端部は、後側ほど横外端が前記走行車体に近づく後細り形状に形成されている。
【００１５】
この手段によると、作業中の前進走行時に未刈りのトウモロコシがガード部材の前端部に接触すると、その前端部が、未刈りのトウモロコシをガード部材の車体横外側に案内する。
又、作業中の後進走行時に未刈りのトウモロコシがガード部材の後端部に接触すると、その後端部が、未刈りのトウモロコシをガード部材の車体横外側に案内する。
その結果、ガード部材が、ガード部材に接触する未刈りのトウモロコシを進行方向に押し倒す不都合の発生を防止することができる。
【００１６】
本発明をより好適にするための手段の一つとして、
前記残稈処理装置は、残稈を切断する切断部と、前記切断部を上方から覆う残稈処理カバーとを備え、
前記残稈処理カバーは、前記走行車体の左右両端に位置する左右の側壁を備え、
前記ガード部材は、前記ガード部材に隣接する左右一方の前記側壁から車体横外側に延出する状態で左右一方の前記側壁に片持ち支持されている。
【００１７】
この手段によると、切断部による残稈の細断に耐え得る高い強度を有する残稈処理カバーの側壁を利用して、ガード部材を片持ち支持することができる。
その結果、ガード部材の支持に要する部品点数の削減を図りながら、ガード部材を強固に片持ち支持することができる。
【００１８】
本発明をより好適にするための手段の一つとして、
前記伝動装置は、前記走行車体に備えた残稈処理用の出力軸から前記残稈処理装置の入力軸にわたる伝動機構と、前記伝動機構を覆う伝動カバーとを備え、
前記伝動カバーの下端面が前記伝動機構の下端に近接する水平に形成され、
前記ガード部材は、前記伝動カバーの下端面に近接している。
【００１９】
この手段によると、作業走行時に未刈りのトウモロコシ又は残稈などが伝動機構に接触する不都合の発生を、伝動カバーによって防止することができる。
これにより、作業走行中に未刈りのトウモロコシ又は残稈などが伝動機構に絡み付く不都合の発生を防止することができる。
【００２０】
又、伝動カバーとともにガード部材を、下方の畦や畝などから上方に離すことができる。これにより、ガード部材とともに伝動装置が畦や畝などの下方の他物に接触し難くなる。
その結果、作業走行時に伝動装置が他物に接触して損傷する不都合の発生をより確実に防止することができる。
【００２１】
本発明をより好適にするための手段の一つとして、
前記伝動カバーは、前記伝動機構を車体横外側から覆う外側壁を備え、
前記外側壁の後端部は、後側ほど前記残稈処理装置に近づくように形成されている。
【００２２】
この手段によると、作業中の後進走行時に未刈りのトウモロコシが伝動カバーの後端部に接触すると、その後端部が未刈りのトウモロコシを伝動カバーの車体横外側に案内する。
その結果、伝動カバーの後端部が、後進走行時に接触する未刈りのトウモロコシを進行方向に押し倒す不都合の発生を防止することができる。
【００２３】
本発明をより好適にするための手段の一つとして、
前記伝動装置は、前記走行車体に備えた残稈処理用の出力軸から前記残稈処理装置の入力軸にわたる伝動機構と、前記伝動機構を覆う伝動カバーとを備え、
前記伝動カバーは、前記伝動機構を車体横外側から覆う外側壁を備え、
前記外側壁の後端部は、後側ほど前記残稈処理装置に近づくように形成されている。
【００２４】
この手段によると、作業走行時に未刈りのトウモロコシ又は残稈などが伝動機構に接触する不都合の発生を、伝動カバーによって防止することができる。
これにより、作業走行中に未刈りのトウモロコシ又は残稈などが伝動機構に絡み付く不都合の発生を防止することができる。
【００２５】
又、作業中の後進走行時に未刈りのトウモロコシが伝動カバーの後端部に接触すると、その後端部が未刈りのトウモロコシを伝動カバーの車体横外側に案内する。
その結果、伝動カバーの後端部が、後進走行時に接触する未刈りのトウモロコシを進行方向に押し倒す不都合の発生を防止することができる。
【００２６】
本発明をより好適にするための手段の一つとして、
前記伝動装置は、前記収穫装置よりも車体横外側に突出している。
【００２７】
この手段によると、残稈処理装置の作業幅を収穫装置の作業幅に一致又は略一致させることができる。これにより、収穫装置による収穫後に圃場に残る残稈の残稈処理装置による細断処理をより確実に行わせることができる。
伝動装置は、前述したように、その下端部の他物との接触がガード部材によって防止されていることから、収穫装置よりも車体横外側に突出していても、他物との接触による損傷が生じ難くなっている。
その結果、作業走行時に伝動装置が他物に接触して損傷する不都合の発生を防止しながら、残稈処理装置による細断処理の確実性を高めることができる。
【００２８】
本発明をより好適にするための手段の一つとして、
前記収穫装置の作業幅の中心と、前記残稈処理装置の作業幅の中心とが、前記走行車体のトレッドの中心と一致している。
【００２９】
この手段によると、トウモロコシ収穫機としての左右バランスを向上させることができる。
その結果、トウモロコシ収穫機の安定性を向上させることができる。
【図面の簡単な説明】
【００３０】
【図１】トウモロコシ収穫機の左側面図である。
【図２】トウモロコシ収穫機の平面図である。
【図３】トウモロコシ収穫機の底面図である。
【図４】伝動装置及びガード部材などの構成を示す要部の左側面図である。
【図５】残稈処理装置及び伝動装置などの構成を示す要部の横断平面図である。
【図６】残稈処理装置及び伝動装置などの構成を示す要部の縦断正面図である。
【図７】伝動装置及びガード部材などの構成を示す要部の底面図である。
【発明を実施するための形態】
【００３１】
以下、本発明を実施するための形態の一例を図面に基づいて説明する。
【００３２】
尚、図１に記載した符号Ｆの矢印が指し示す方向がトウモロコシ収穫機の前側であり、符号Ｕの方向がトウモロコシ収穫機の上側である。
又、図２及び図３に記載した符号Ｆの矢印が指し示す方向がトウモロコシ収穫機の前側であり、符号Ｌの方向がトウモロコシ収穫機の左側である。
【００３３】
図１〜３に示すように、本実施形態で例示するトウモロコシ収穫機は、乗用形に構成した走行車体１、走行車体１の前部に位置してトウモロコシの房状体を収穫する収穫装置２、収穫した房状体を後上方に搬送するフィーダ３、搬送後の房状体から包葉をむき取る皮むき装置４、包葉がむき取られた房状体を貯留する貯留容器５、及び、走行車体１における収穫装置２の後方箇所に位置して収穫装置２による房状体収穫後の残稈を細断する残稈処理装置６、などを備えている。これにより、このトウモロコシ収穫機は、作業走行時に、圃場に植え立てられた複数条のトウモロコシから茎頂部分の房状体を収穫し、皮むき処理を施した後の房状体を貯留するよう構成されている。
【００３４】
尚、図２及び図３では、４条のトウモロコシを収穫対象とするトウモロコシ収穫機を例示しているが、トウモロコシ収穫機は、３条以下のトウモロコシを収穫対象とするもの、又は、５条以上のトウモロコシを収穫対象とするものであってもよい。
【００３５】
図１〜６に示すように、走行車体１は、車体の骨組みを形成する車体フレーム７、キャビン８を有する搭乗式の運転部９、走行車体１における運転部９の後下方箇所に位置するエンジン１０、エンジン１０からの動力を変速する変速装置１１、変速装置１１による変速後の走行動力で駆動される左右の前輪１２、操舵可能な左右の後輪１３、エンジン１０からの動力が伝達される左右向きのカウンタ軸１４、及び、カウンタ軸１４からの動力を残稈処理用の出力軸１５に伝達するギア式の中継伝動装置１６、などを備えている。
【００３６】
図２及び図３に示すように、収穫装置２及び残稈処理装置６は、それらの左右幅が走行車体１の左右幅Ｗ１と略同じ長さに設定されることで、走行車体１の左右両端にわたる作業幅Ｗ２，Ｗ３を有している。これにより、車体幅の略全域を収穫作業領域として利用することができ、トウモロコシ収穫機による収穫作業を効率良く行うことができる。
【００３７】
収穫装置２及び残稈処理装置６は、収穫装置２の作業幅Ｗ２の中心Ｃ２と、残稈処理装置６の作業幅Ｗ３の中心Ｃ３とが、走行車体１のトレッドＴの中心Ｃ１と一致している。これにより、トウモロコシ収穫機としての左右バランスを向上させることができ、トウモロコシ収穫機の安定性を向上させることができる。
【００３８】
図１、図４及び図５に示すように、残稈処理装置６は、走行車体１に備えた油圧式の昇降装置１７の作動により、残稈処理用の出力軸１５と軸心が一致する左右の支軸１８を支点にして昇降揺動する。
【００３９】
図１及び図３〜５に示すように、残稈処理装置６は、残稈を切断する切断部１９、切断部１９を上方から覆う残稈処理カバー２０、及び、作業走行時に接地する接地ローラ２１、などを備えている。切断部１９は、ハンマーナイフ式で、左右の回転軸２２と左側面視で右回りに一体回転することで残稈を切断する。左側の回転軸２２は残稈処理装置６の入力軸を兼ねている。残稈処理カバー２０は、切断部１９の左右に位置する左右の側壁２０Ａ、左右の側壁２０Ａにわたる天板２０Ｂ、及び、左右の側壁２０Ａにわたって天板２０Ｂを支持する複数の補強部材２０Ｃ、などを備えている。これにより、残稈処理カバー２０は、切断部１９による残稈の細断に耐え得る高い強度を有している。左右の側壁２０Ａは、走行車体１の左右両端に位置している。
【００４０】
図１〜７に示すように、トウモロコシ収穫機は、走行車体１の車体左外側に位置して残稈処理装置６に伝動する伝動装置２３、及び、伝動装置２３の下端部２３Ａの下方に位置して伝動装置２３の下端部２３Ａを保護するガード部材２４、を備えている。これにより、作業走行時に、伝動装置２３の下端部２３Ａが畦や畝などの他物に接近すると、ガード部材２４が、伝動装置２３の下端部２３Ａよりも先に他物に接触して、伝動装置２３の下端部２３Ａが他物に接触することを防止する。その結果、作業走行時に伝動装置２３が他物に接触して損傷する不都合の発生を防止することができる。
【００４１】
図１、図３〜５及び図７に示すように、ガード部材２４は、鋼板製で、連結用の縦壁２４Ａと、縦壁２４Ａの上端部から左方に延出するガード体２４Ｂとを有している。
【００４２】
ガード部材２４は、伝動装置２３の左右両端にわたる左右幅Ｗ４を有している。これにより、伝動装置２３の下端部２３Ａを、ガード部材２４により、伝動装置２３の下端部２３Ａよりも下方の畦や畝などの他物に対して覆い隠すことができる。その結果、作業走行時に、伝動装置２３の下端部２３Ａが他物に接触する不都合の発生をより確実に防止することができ、その接触に起因した伝動装置２３の損傷をより確実に防止することができる。
【００４３】
ガード部材２４は、ガード部材２４の前端側が前側ほど上方に位置する前上がり形状に形成され、ガード部材２４の後端側が後側ほど上方に位置する後上がり形状に形成されている。これにより、作業中の前進走行時に、伝動装置２３の下端部２３Ａが前方の畦や畝などの他物に接近すると、ガード部材２４の前端側が、伝動装置２３の下端部２３Ａよりも先に前方の他物に接触するとともに、接触した他物をガード部材２４の下方に案内して、伝動装置２３の下端部２３Ａが前方の他物に接触することを防止する。又、作業中の後進走行時に、伝動装置２３の下端部２３Ａが後方の畦や畝などの他物に接近すると、ガード部材２４の後端側が、伝動装置２３の下端部２３Ａよりも先に後方の他物に接触するとともに、接触した他物をガード部材２４の下方に案内して、伝動装置２３の下端部２３Ａが後方の他物に接触することを防止する。その結果、作業走行時に伝動装置２３が他物に接触して損傷する不都合の発生をより確実に防止することができる。
【００４４】
ガード部材２４の前端側は、前上がり傾斜する前上がり形状であり、ガード部材２４の後端側は、後上がり傾斜する後上がり形状である。これにより、例えば、ガード部材２４の前端側が前上がりに湾曲する前上がり形状であり、ガード部材２４の後端側が後上がりに湾曲する後上がり形状である場合に比較して、ガード部材２４の前端側又は後端側に接触した他物のガード部材２４の前端側又は後端側によるガード部材２４の下方への案内を円滑にすることができる。その結果、ガード部材２４の前端側又は後端側が他物に接触することに起因した走行負荷の上昇を抑制することができる。
【００４５】
ガード部材２４は、その前後方向の中央側が水平の平坦形状に形成されている。これにより、作業走行時に、ガード部材２４における前後方向の中央側に接触する畦や畝などの他物を、ガード部材２４によって進行方向の下手側に円滑に案内することができる。その結果、ガード部材２４が他物に接触することに起因した走行負荷の上昇を抑制することができる。
【００４６】
ガード部材２４は、残稈処理装置６の接地ローラ２１が接地する作業高さ位置に残稈処理装置６が下降している場合に、前後方向の中央側が水平になる姿勢が得られるように設定されている。
【００４７】
尚、前述したガード部材２４における前後方向中央側の水平は、ガード部材２４の前後方向中央側が水平から少し傾いた略水平を含むものである。又、前述したガード部材２４における前後方向中央側の平坦形状は、少しの凹凸などを有する略平坦形状を含むものである。
【００４８】
ガード部材２４の前端部２４Ｃは、前側ほど左外端２４ａが走行車体１に近づく前細り形状に形成されている。ガード部材２４の後端部２４Ｄは、後側ほど左外端２４ａが走行車体１に近づく後細り形状に形成されている。これにより、作業中の前進走行時に未刈りのトウモロコシがガード部材２４の前端部２４Ｃに接触すると、その前端部２４Ｃが未刈りのトウモロコシをガード部材２４の左外側に案内する。又、作業中の後進走行時に未刈りのトウモロコシがガード部材２４の後端部２４Ｄに接触すると、その後端部２４Ｄが未刈りのトウモロコシをガード部材２４の左外側に案内する。その結果、ガード部材２４が、ガード部材２４に接触する未刈りのトウモロコシを進行方向に押し倒す不都合の発生を防止することができる。
【００４９】
ガード部材２４において、前端部２４Ｃの左外端２４ａは、前側ほど走行車体１に近づくように傾斜し、後端部２４Ｄの左外端２４ａは、後側ほど走行車体１に近づくように傾斜している。これにより、例えば、前端部２４Ｃの左外端２４ａが前側ほど走行車体１に近づくように湾曲する場合、又は、後端部２４Ｄの左外端２４ａが後側ほど走行車体１に近づくように湾曲する場合に比較して、ガード部材２４の前端部２４Ｃ又は後端部２４Ｄに接触した未刈りトウモロコシのガード部材２４の前端部２４Ｃ又は後端部２４Ｄによるガード部材２４の左外側への案内を円滑に行える。
【００５０】
ガード部材２４は、残稈処理カバー２０の左右の側壁２０Ａのうち、ガード部材２４に隣接する左側の側壁２０Ａから車体左外側に延出する状態で左側の側壁２０Ａに片持ち支持されている。これにより、切断部１９による残稈の細断に耐え得る高い強度を有する残稈処理カバー２０の側壁２０Ａを利用して、ガード部材２４を片持ち支持することができる。その結果、ガード部材２４の支持に要する部品点数の削減を図りながら、ガード部材２４を強固に片持ち支持することができる。
【００５１】
図１及び図３〜６に示すように、伝動装置２３は、走行車体１に備えた残稈処理用の出力軸１５から残稈処理装置６の入力軸２２にわたる伝動機構２５、及び、伝動機構２５を覆う伝動カバー２６、などを備えている。
【００５２】
図４〜６に示すように、伝動機構２５は、残稈処理用の出力軸１５に取り付けた駆動プーリ２７、残稈処理装置６の入力軸２２に取り付けた従動プーリ２８、駆動プーリ２７と従動プーリ２８とに掛け渡した伝動ベルト２９、及び、伝動ベルト２９にテンションを掛けるテンションプーリ３０、などを備えている。伝動装置２３は、残稈処理装置６の昇降揺動に伴って、出力軸１５を支点にして残稈処理装置６と一体揺動する。伝動装置２３は、後側ほど下方に位置する後下がりの傾斜姿勢で、残稈処理用の出力軸１５と残稈処理装置６の入力軸２２とを連動連結している。
【００５３】
伝動カバー２６は、伝動機構２５の左側面に対向する略長円形状の外側壁２６Ａ、及び、外側壁２６Ａの周縁から車体内側に延出する周壁２６Ｂ、などを備えている。これにより、作業走行時に、未刈りのトウモロコシなどが伝動機構２５に絡み付く不都合の発生を防止している。
【００５４】
伝動カバー２６は、残稈処理カバー２０の左側の側壁２０Ａなどに、走行車体１の左外側から着脱可能にボルト連結されている。これにより、伝動機構２５のメンテナンスを行う場合には。伝動カバー２６を容易に取り外すことができ、伝動機構２５を走行車体１の左外方に露出させることができる。その結果、伝動機構２５のメンテナンスを容易に行うことができる。
【００５５】
伝動カバー２６は、その下端面２６Ｃが伝動機構２５の下端に近接する水平に形成されている。ガード部材２４は、伝動カバー２６の下端面２６Ｃに近接している。これにより、伝動カバー２６とともにガード部材２４を、接触対象の畦や畝などから上方に離すことができ、その分、ガード部材２４が畦や畝などの他物に接触し難くなる。その結果、作業走行時に伝動装置２３が他物に接触して損傷する不都合の発生をより確実に防止することができる。
【００５６】
伝動カバー２６は、残稈処理装置６の接地ローラ２１が接地する作業高さ位置に残稈処理装置６が下降している場合に、下端面２６Ｃが水平になる後下がりの傾斜姿勢が得られるように設定されている。
【００５７】
尚、前述した伝動カバー２６における下端面２６Ｃの水平は、下端面２６Ｃが水平から少し傾いた略水平を含むものである。
【００５８】
外側壁２６Ａの前端部は、前側ほど残稈処理装置６に近づくように形成されている。これにより、伝動カバー２６の前端部２６Ｄは、前側ほど外側壁２６Ａが残稈処理装置６に近づく傾斜面を有するようになり、よって、作業中の前進走行時に未刈りのトウモロコシが伝動カバー２６の前端部２６Ｄに接触すると、その前端部２６Ｄが未刈りのトウモロコシを伝動カバー２６の左外側に案内する。その結果、伝動カバー２６の前端部２６Ｄが、前進走行時に接触する未刈りのトウモロコシを進行方向に押し倒す不都合の発生を防止することができる。
【００５９】
外側壁２６Ａの後端部は、後側ほど残稈処理装置６に近づくように形成されている。これにより、伝動カバー２６の後端部２６Ｅは、後側ほど外側壁２６Ａが残稈処理装置６に近づく傾斜面を有するようになり、よって、作業中の後進走行時に未刈りのトウモロコシが伝動カバー２６の後端部２６Ｅに接触すると、その後端部２６Ｅが未刈りのトウモロコシを伝動カバー２６の左外側に案内する。その結果、伝動カバー２６の後端部２６Ｅが、後進走行時に接触する未刈りのトウモロコシを進行方向に押し倒す不都合の発生を防止することができる。
【００６０】
図５及び図７に示すように、ガード部材２４及び伝動カバー２６は、それらの後端部２４Ｄ，２６Ｅの平面視での形状が略一致し、かつ、それらの後端部２４Ｄ，２６Ｅの平面視での位置が略一致している。
これにより、作業中の後進走行時に未刈りのトウモロコシがガード部材２４及び伝動カバー２６に接触する状態では、ガード部材２４の後端部２４Ｄ及び伝動カバー２６の後端部２６Ｅにより、未刈りのトウモロコシをガード部材２４及び伝動カバー２６の左外側に案内することができる。その結果、ガード部材２４の後端部２４Ｄ及び伝動カバー２６の後端部２６Ｅが、後進走行時に接触する未刈りのトウモロコシを進行方向に押し倒す不都合の発生をより効果的に防止することができる。
【００６１】
尚、ガード部材２４及び伝動カバー２６は、それらの後端部２４Ｄ，２６Ｅの平面視での形状が一致し、かつ、それらの後端部２４Ｄ，２６Ｅの平面視での位置が一致していてもよい。
【００６２】
図２及び図３に示すように、伝動装置２３は、収穫装置２よりも走行車体１の左外側に突出している。これにより、残稈処理装置６の作業幅を収穫装置２の作業幅に一致又は略一致させることができ、収穫装置２による収穫後に圃場に残る残稈の残稈処理装置６による細断処理をより確実に行わせることができる。そして、伝動装置２３は、前述したように、その下端部２３Ａの他物との接触がガード部材２４によって防止されていることから、収穫装置２よりも走行車体１の左外側に突出していても、他物との接触による損傷が生じ難くなっている。その結果、作業走行時に伝動装置２３が他物に接触して損傷する不都合の発生を防止しながら、残稈処理装置６による細断処理の確実性を高めることができる。
【００６３】
図４〜６に示すように、伝動カバー２６は、外側壁２６Ａに伝動カバー２６の内部と外部とを通気可能に連通する複数の通気孔２６ａを備えている。これにより、残稈処理装置６への伝動時に伝動機構２５から発生する熱を、複数の通気孔２６ａから伝動カバー２６の外部に排出することができる。その結果、伝動カバー２６の内部に熱が籠ることに起因した伝動ベルト２９の劣化などの熱害の発生を防止することができる。
【００６４】
〔別実施形態〕
本発明は、上記の実施形態で例示した構成に限定されるものではなく、以下、本発明の代表的な別実施形態を例示する。
【００６５】
〔１〕トウモロコシ収穫機の構成は種々の変更が可能である。
例えば、トウモロコシ収穫機は、収穫装置２の作業幅Ｗ２の中心Ｃ２と残稈処理装置６の作業幅Ｗ３の中心Ｃ３とのいずれか一方が、走行車体１のトレッドＴの中心Ｃ１と一致する構成であってもよい。
例えば、トウモロコシ収穫機は、収穫装置２の作業幅Ｗ２の中心Ｃ２と、残稈処理装置６の作業幅Ｗ３の中心Ｃ３とが、走行車体１のトレッドＴの中心Ｃ１と一致しない構成であってもよい。
【００６６】
〔２〕伝動装置２３の構成は種々の変更が可能である。
例えば、伝動装置２３は、走行車体１の車体右外側に位置して残稈処理装置６に伝動する構成であってもよい。
例えば、伝動装置２３は、駆動スプロケット、従動スプロケット、及び、伝動チェーン、などを備えるチェーン伝動式であってもよい。
例えば、伝動装置２３は、複数のベベルギア及び伝動軸などを備える軸伝動式であってもよい。
例えば、伝動装置２３は、伝動カバー２６における外側壁２６Ａの前端部２６Ｄ及び後端部２６Ｅのいずれか一方又は双方が、走行車体１の前後方向に沿って真直ぐに形成される構成であってもよい。
例えば、伝動装置２３は、伝動カバー２６の下端面２６Ｃが下方に膨出する湾曲形状に形成される構成であってもよい。
例えば、伝動装置２３は、伝動カバー２６に、伝動機構２５の車体内側面に対向する内側壁を備える構成であってもよい。
例えば、伝動装置２３は、伝動カバー２６を備えていない構成であってもよい。
例えば、伝動装置２３は、収穫装置２の左右両端よりも車体内側に位置する構成であってもよい。
【００６７】
〔３〕ガード部材２４の構成は種々の変更が可能である。
例えば、ガード部材２４は、伝動装置２３の左右幅よりも狭い左右幅Ｗ４を有していてもよく、又、伝動装置２３の左右幅よりも広い左右幅Ｗ４を有していてもよい。
例えば、ガード部材２４は、前端側が前上がりに湾曲する前上がり形状であってもよい。
例えば、ガード部材２４は、後端側が後上がりに湾曲する後上がり形状であってもよい。
例えば、ガード部材２４は、前端側が前上がり形状に形成されない構成であってもよい。
例えば、ガード部材２４は、後端側が後上がり形状に形成されない構成であってもよい。
例えば、ガード部材２４は、側面視の形状が、前後方向の中央側が水平の平坦形状に形成されていないＵ字状又はＶ字状であってもよい。
例えば、ガード部材２４は、前端部２４Ｃの横外端２４ａが、前側ほど走行車体１に近づくように湾曲していてもよい。
例えば、ガード部材２４は、後端部２４Ｄの横外端２４ａが、後側ほど走行車体１に近づくように湾曲していてもよい。
例えば、ガード部材２４は、前端部２４Ｃが前細り形状に形成されない構成であってもよい。
例えば、ガード部材２４は、後端部２４Ｄが後細り形状に形成されない構成であってもよい。
例えば、ガード部材２４は、伝動装置２３の下端部２３Ａの下方に前後向きに位置する鋼管製のガード体と、ガード部材２４に隣接する残稈処理カバー２０の左右一方の側壁２０Ａからガード体にわたる支持部材とを有する構成であってもよい。
例えば、ガード部材２４は、車体フレーム７に支持される構成であってもよい。
【産業上の利用可能性】
【００６８】
本発明は、例えば、左右の前輪と左右の後輪とを備えるホイール式のトウモロコシ収穫機、左右の前輪又は左右の後輪に代えて左右のクローラを備えるセミクローラ式のトウモロコシ収穫機、又は、左右の前輪及び左右の後輪に代えて左右のクローラを備えるフルクローラ式のトウモロコシ収穫機、あるいは、皮むき装置を備えていないトウモロコシ収穫機、皮むき装置を備えたトウモロコシ収穫機、又は、皮むき装置とともに房状体に対して脱粒処理を施す脱穀装置を備えたトウモロコシ収穫機、などに適用することができる。
【符号の説明】
【００６９】
１      走行車体
２      収穫装置
６      残稈処理装置
１５    残稈処理用の出力軸
１９    切断部
２０    残稈処理カバー
２０Ａ  側壁
２２    残稈処理装置の入力軸
２３    伝動装置
２３Ａ  下端部
２４    ガード部材
２４Ｃ  前端部
２４Ｄ  後端部
２４ａ  横外端
２５    伝動機構
２６    伝動カバー
２６Ａ  外側壁
２６Ｃ  下端面
Ｃ１    走行車体のトレッドの中心
Ｃ２    収穫装置の作業幅の中心
Ｃ３    残稈処理装置の作業幅の中心
Ｔ      走行車体のトレッド
Ｗ２    収穫装置の作業幅
Ｗ３    残稈処理装置の作業幅
Ｗ４    ガード部材の左右幅
【図１】
2017085917.tif 000003
【図２】
2017085917.tif 000004
【図３】
2017085917.tif 000005
【図４】
2017085917.tif 000006
【図５】
2017085917.tif 000007
【図６】
2017085917.tif 000008
【図７】
2017085917.tif 000009